【事件の表示】
　上記当事者間の特許第３９２４４６７号「管状格子パターンを有するゴルフボール」の特許無効審判事件についてされた平成２６年８月１２日付け審決に対し，知的財産高等裁判所において審決取消の判決（平成２６年（行ケ）第１０２１９号平成２７年４月１３日判決言渡）があったので，さらに審理のうえ，次のとおり審決する。
【結　論】
　本件審判の請求は，成り立たない。
　審判費用は，請求人の負担とする。
【理　由】
第１　事案の概要
　本件は，請求人が，被請求人が特許権者である特許第３９２４４６７号（以下「本件特許」という。）の請求項１から請求項８に係る発明についての特許を無効とすることを求める事案である。
第２　手続の経緯の概要
　本件特許第３９２４４６７号に係る手続の経緯の概要は以下のとおりである。
　平成１２年１１月１６日　国際出願
　　　　　　　　　　　　（ＰＣＴ／ＵＳ２０００／０３１７７７号）
　　　　　　　　　　　　（優先権主張：平成１１年１１月１８日　米国）
　平成１９年　３月　２日　設定登録（特許第３９２４４６７号）
　平成２２年１１月　４日　無効審判請求
　　　　　　　　　　　　（無効２０１０−８００２００号　）
　平成２３年　９月２７日　審決（平成２３年６月１６日付けでした訂正を認めない。無効とする。）
　平成２４年　１月２５日　審決取消訴訟（平成２４年（行ケ）第１００３４号）の提起
　平成２４年　４月１０日　訂正審判請求（訂正２０１２−３９００４７号）
　平成２４年　６月２５日　平成２３年９月２７日付け審決の取消決定の判決
　平成２４年　９月１４日　上申書・訂正請求書
　平成２４年１１月２１日　訂正拒絶理由通知書・通知書
　平成２５年　１月１１日　意見書・補正書
　平成２５年　３月１２日　補正書（方式）
　平成２５年　５月　９日　審決（平成２５年３月１２日付け手続補正書で補正された平成２４年９月１４日付け訂正は認める。無効としない。）
　平成２６年　１月１０日　本件無効審判請求，甲第１〜１７号証提出
　　　　　　　　　　　　（無効２０１４−８００００７号）
　平成２６年　４月３０日　審判答弁書
　平成２６年　６月１９日　口頭審理陳述要領書（請求人），甲第１８〜２２号証提出
　平成２６年　７月　３日　口頭審理陳述要領書（被請求人）
　平成２６年　７月　３日　口頭審理
　平成２６年　７月１０日　上申書（請求人），甲第２３〜２７号証提出
　平成２６年　８月１２日　審決（無効としない。）
　平成２６年　９月１８日　審決取消訴訟（平成２６年（行ケ）第１０２１９号）の提起
　平成２７年　４月１３日　平成２６年８月１２日付け審決の取消決定の判決
第３　審判請求の概要，被請求人の主張
　１　請求人が審判請求書において主張する無効理由の概要は，以下の（１），（２）のとおりである。
（１）無効理由１
　本件特許の請求項１乃至８に係る発明は，甲第１号証記載の発明と甲第２号証の事項及び周知事項あるいは設計事項から，または，甲第１０号証記載の発明と甲第２号証の事項及び周知事項あるいは設計事項から，当業者が容易に発明をすることができたものである。
　よって，本件特許の請求項１乃至８に係る発明の特許は，特許法第２９条第２項の規定に違反してなされたものであり，同法１２３条第１項第２項の規定により無効とすべきものである。
（２）無効理由２
　本件特許の請求項１乃至８に係る発明の特許は，同法第３６条第６項第２号の規定に違反してなされたものであり，同法第１２３条第１項第４号の規定により，無効とすべきものである。
　２　請求人提示の証拠方法
　請求人が本件審判請求にあたり提示した証拠方法は，以下のとおりである。
平成２６年１月１０日提出の審判請求書に添付されたもの
　甲第　１号証：米国特許第４９９１８５２号明細書
　甲第　２号証：特開昭５８−２５１８０号公報
　甲第　３号証：特開平４−３１４４６２号公報
　甲第　４号証：特開昭６２−１９２１８１号公報
　甲第　５号証：特開昭６０−９６２７２号公報
　甲第　６号証：特開平８−８０３６０号公報
　甲第　７号証：特開平６−１７００１５号公報
　甲第　８号証：特開昭４８−６３８３５号公報
　甲第　９号証：実願昭５１−１４３６０８号
　　　　　　　（実開昭５３−６０９６５号）のマイクロフィルム
　甲第１０号証：特開平７−２８９６６２号公報
　甲第１１号証：特開平６−１８２００２号公報
　甲第１２号証：特開平８−４７５５３号公報
　甲第１３号証：特開平９−３０８７０９号公報
　甲第１４号証：特開平１１−２９９９３０号公報
　甲第１５号証：特開昭６１−２２８７１号公報
　甲第１６号証：特開昭５３−１１５３３０号公報
　甲第１７号証：特開平４−３４７１７７号公報
平成２６年６月１９日提出の口頭審理陳述要領書に添付されたもの
　甲第１８号証：新村　出編，“広辞苑”，株式会社岩波書店，
　　　　　　　　２００８年１月１１日，第６版，１９１０頁
　甲第１９号証：Conforming Golf Balls，米国，USGA，
　　　　　　　　Effective September 01，2004，1of25〜3of25
　甲第２０号証：計測報告書，エイキット株式会社，平成２０年１２月２５日
　甲第２１号証：計測報告書，エイキット株式会社，平成２２年８月２７日
　甲第２２号証：特許第３４７８３０３号公報
平成２６年７月１０日提出の上申書に添付されたもの
　甲第２３号証：特開平３−１９８８７５号公報
　甲第２４号証：特開平１−２６８５８０号公報
　甲第２５号証：特開平２−６８０７７号公報
　甲第２６号証：特開平２−２９５５７３号公報
　甲第２７号証：特開昭６０−１６３６７４号公報
　３　被請求人の主張の概要
　被請求人は，「本件審判の請求は成り立たない。審判費用は請求人の負担とする。」との審決を求め，請求人が主張する上記無効理由は，いずれも理由がない旨の主張をした。
第４　本件発明
　本件請求項１乃至８に係る発明（以下，それぞれを「本件発明１」乃至「本件発明８」といい，これらを総称して「本件発明」という。）は，平成２５年１月１１日付け手続補正書及び同年３月１２日付け手続補正書（方式）で補正された平成２４年９月１４日付けで訂正された訂正明細書の特許請求の範囲の請求項１乃至８（以下，それぞれを「本件請求項１」乃至「本件請求項８」という。）に記載されたとおりの次のものと認める。
　「【請求項１】
　表面を有し，４．０６ｃｍ〜４．３２ｃｍ（１．６０ｉｎ〜１．７０ｉｎ）の範囲の直径を有する内側球体と，
　前記内側球体の表面から延びる格子構造であって，該格子構造は複数の相互に連結した格子部材からなり，各格子部材は，第１の凹部分と第２の凹部分と，前記第１の凹部分と第２の凹部分の間に設けられた凸部分を有する曲線の断面を持ち，前記凸部分は頂部を有し，前記格子部材の底部から前記頂部までの距離が０．０１２７ｃｍ〜０．０２５４ｃｍ（０．００５ｉｎ〜０．０１０ｉｎ）の範囲であり，
　前記第１の凹部分と第２の凹部分は０．３８ｃｍ〜０．５１ｃｍ（０．１５０ｉｎ〜０．２００ｉｎ）の範囲の曲率半径を持ち，前記凸部分は０．０７ｃｍ（０．０２７５ｉｎ）〜０．０８８９ｃｍ（０．０３５０ｉｎ）の曲率半径を持ち，
　前記相互に連結された格子部材の頂部はゴルフボールの最外部であり，
　前記複数の格子部材は互いに辺を共有して連結された複数の６角形状の領域と，複数の５角形状の領域とを形成し，前記複数の５角形状の領域は前記複数の６角形状の領域の一部と互いに辺を共有して連結されている，
ディンプルを伴わないゴルフボール。
【請求項２】
　ゴルフボールはポリウレタン材料のカバーを持ち，前記内側球体の直径は４．２４ｃｍ（１．６７ｉｎ）以上である請求項１に記載のゴルフボール。
【請求項３】
　ゴルフボールの最外部から０．００５ｃｍの範囲の体積は０．０３４９１ｃｍ３未満である請求項１又は２に記載のゴルフボール。
【請求項４】
　ゴルフボールの最外部から０．０１０２ｃｍの範囲の体積は０．０８１６２ｃｍ３未満である請求項１又は２に記載のゴルフボール。
【請求項５】
　ゴルフボールの最外部から０．０１５２ｃｍの範囲の体積は０．１３７８４ｃｍ３未満である請求項１又は２に記載のゴルフボール。
【請求項６】
　前記ゴルフボールは，ソリッドコア，中空コア又は流体コアのいずれかを持つ請求項１乃至５のいずれかに記載のゴルフボール。
【請求項７】
　レイノルド数が７０，０００で回転数が毎分２０００回のときの揚力係数が０．１８以上であり，レイノルド数が１８０，０００で回転数が毎分３０００回のときの流体抵抗が０．２３未満である請求項１乃至６のいずれかに記載のゴルフボール。
【請求項８】
　ゴルフボールの表面の全体が複数の相互に連結された格子部材と内側球体によって画成されている請求項１乃至７のいずれかに記載のゴルフボール。」
第５　無効理由１について
　１　甲号証
（１）甲第１号証について
　請求人が提出し，本件の優先権主張日前に頒布された甲第１号証（米国特許第４９９１８５２号明細書）には，以下の記載がある（なお，和訳については，無効審判請求人が提出した「甲第１号証訳文」によった。）。
　ア「1. Field of the Invention
　This invention relates generally to golf balls, and more particularly to a multi-purpose golf ball having a large number of dimples of predetermined size and shape arranged in a dimple pattern to impart more accurate putting and flight characteristics.」（１欄５〜１０行）
　（１．本発明の技術分野
　本発明は，全体としてゴルフボールに関し，より特定的には，ディンプルパターンとして配列した所定のサイズと形状を有する多数のディンプルを持ち，より正確なパットと飛距離を与えることのできる多目的ゴルフボールに関する。」（２頁６〜９行））
　イ「2. Brief Description of the Prior Art
　Golf balls are designed with individual depressions, or dimples, in the surface of the ball. The dimple or depression pattern and the depth and width of the dimples are designed to aerodynamically assist the travel distance and accuracy of the golf ball flight.
　Conventional golf balls are formed with from 384 to 492 dimples, or concave depressions, in the surface of the ball. Conventional golf balls also utilize various dimple patterns such as; icosahedral (20 triangles), octahedral (8 triangles), dodecahedral (12 pentagons), double-dimple triangular design, icosahedral multiple parting line (12 pentagons within 20 triangles, and an interlock (80 small triangles within 20 large triangles).
　These same conventional balls are used in both putting and driving strokes, and often a ball which has superior flight characteristics will have inferior putting characteristics. It would therefore be desirable to provide a multi-purpose golf ball having the optimum dimple pattern and also having dimples of the optimum width and depth for both putting accuracy and for driving distance and accuracy.」（１欄１１〜３２行）
　（２．従来技術の概要
　ゴルフボールは，ボール表面に分離した窪み，即ちディンプルを持つように設計される。ディンプル又は窪みのパターンとディンプルの深さと幅はゴルフボールの飛行の距離と正確性を空気力学的に助けるように設計される。
　従来のゴルフボールはボール表面に３８４個から４９２個の凹んだ窪みが形成される。従来のゴルフボールは，また，２０面体（２０三角形），８面体（８三角形），１２面体（１２三角形），二重ディンプル三角形設計，２０面体多数分割ライン（２０の三角形内に１２の五角形），及びインターロック（２０の大三角形の中に８０の小三角形）のような種々のディンプルパターンを用いている。
　これらの従来のゴルフボールはパッティングとドライビングストロークの両方に使用され，優れた飛距離特性を持つボールは，しばしばパッティングにおいては劣る場合がある。
したがって，最適のディンプルパターンと，また，パッティングの正確さと飛距離と正確さを得るための最適の幅と深さを持つディンプルを持つ多目的ゴルフボールを提供することが望まれている。）（２頁１０行〜３頁３行）
　ウ「SUMMARY OF THE INVENTION
　It is therefore an object of the present invention to provide a multi-purpose golf ball having the optimum dimple pattern and also having dimples of the optimum width and depth for both putting accuracy and for driving distance and accuracy.
　It is another object of this invention to provide a multi-purpose golf ball which will more accurately and consistantly position the club force to the ball surface contact area center point of resistance in line with the stroke direction to the center of mass of the ball.
　Another object of this invention is to provide a multi-purpose golf ball having a relatively large number of dimples of optimum width and depth for both putting accuracy and for driving distance and accuracy and which will conform the standards of the United States Golf Association for weight, size, symmetry, initial velocity, and overall distance.
　A further object of this invention is to provide a multi-purpose golf ball having a relatively large number of dimples of optimum width and depth which will reduce the deviation of the ball flight path relative to the center line of the club swing path, resulting in more accuracy in putting and driving with very little loss in ball travel distance.
　A still further other object of this invention is to provide a multi-purpose golf ball having a plurality of dimples arranged in a nine-frequency icosahedral pattern over the surface of the ball.
　Other objects of the invention will become apparent from time to time throughout the specification and claims as hereinafter related.
　The above noted objects and other objects of the invention are accomplished by a multi-purpose golf ball having 812 concave hexagonal surface depressions arranged in a regular geodesic nine-frequency icosahedral pattern over the surface of the ball and each depression having a surface diameter in the range of from 0.090 inches to 0.140 inches and a depth in the range of from 0.002 inches to 0.014 inches.」（２欄３９行〜３欄１１行）
　（本発明の概要
　したがって，本発明の目的は，正確なパッティングと飛距離及び正確性を与えるための最適のディンプルパターンと，また，最適のディンプルの幅と深さを持つ多目的ゴルフボールを提供することにある。
　本発明の他の目的は，クラブの力を，ボールの重心に向かうストローク方向に一致させて，ボール表面接触抵抗領域の中心に正確に且つ一貫して位置付けることのできる多目的ボールを提供することにある。
　本発明の他の目的は，パッティングの精度とドライブの飛距離と精度の両方のための，最適の幅と深さを持ち比較的多い数のディンプルを有する多目的ゴルフボールであり，重量，サイズ，対称性，初速度及び総飛距離において米国ゴルフ協会の基準を満たす多目的ゴルフボールを提供することにある。
　本発明の更なる目的は，クラブのスイングの軌道の中心に対し，ボールの軌道の偏りを抑制し，結果としてパッティングのより高い精度とボールの飛距離のロスを非常に少なくドライブを可能とする，比較的多数の最適の幅と深さを持つディンプルを持つ多目的ボールを提供することにある。
　さらに，本発明の他の目的は，ボール表面に９周期の正２０面体パターンで配置した複数のディンプルを持つ多目的ボールを提供することにある。
　本発明の他の目的は，以下の明細書及びクレームの記載を通じて，順次明らかになるであろう。
　上述の本発明の目的は，ボール表面に規則的な測地学の９周期２０面体パターンで配列した８１２個の凹んだ六角形の表面窪みを持つゴルフボールにより達成され，各窪みは０．０９０インチから０．１４０インチの範囲の表面直径と０．００２インチから０．０１４インチの範囲の深さを持つ。）（４頁下から３行〜５頁下から６行）
　エ「BRIEF DESCRIPTION OF THE DRAWINGS
　FIG. 1 is an elevation of the multi-purpose golf ball in accordance with the present invention.
　FIG. 2 is an illustration of a portion of the cover of a conventional golf ball of the prior art projected in a flat plane.
　FIG. 3 is an illustration of a portion of the cover of the present multi-purpose golf ball projected in a flat plane.
　FIG. 4 is an enlarged cross sectional view of one depression of the present golf ball.
　FIG. 5 is a schematic illustration of a sphere divided into a regular geodesic nine-frequency icosahedron.
　FIG. 6 is a diagramatic illustration of a sphere divided into twenty main triangles based on an inscribed icosahedron pattern.
　FIG. 7 illustrates one of the twenty main icosahedral triangles having each side divided into nine parts to produce a total of 812 vertices uniformly distributed over the entire spherical surface of the ball.」（３欄１３行〜３欄３２行）
　（図面の簡単な説明
　図１は，本発明による多目的ゴルフボールの立面図である。
　図２は，従来技術の通常のゴルフボールカバーの一部を平面として示した図である。
　図３は，本発明の多目的ゴルフボールのカバーの一部を平面として示した図である。
　図４は，本発明のゴルフボールの一つの窪みの拡大断面図である。
　図５は，測地学の９周期の正２０面体に分割された球面を模式的に示す図である。
　図６は，内接する２０面体パターンに基づく２０の主三角形に分割された球面を図式的に示す図である。
　図７は，２０面体の主三角形の一つを示し，各辺は，ボールの球面全体に均一に分散する総数８１２個の頂点を形成するように９つの部分に分割される。）（５頁下から５行〜６頁８行）
オ「DESCRIPTION OF THE PREFERRED EMBODIMENT
　Referring to the drawings by numerals of reference, there is shown in FIG. 1, a preferred multi-purpose golf ball 10. The multi-purpose golf ball 10 is a sphere which has a plurality of concave surface depressions, or dimples, 11 equally spaced over the ball surface. The ball 10 has an inner ball of elastomeric material which may be hollow center, solid center, liquid filled, and wrapped with elastic winding, as is well known in the art. The preferred center is formed of hard rubber polymer. The outer covering of the ball 10 is a tough polymeric material, also as known in the art. The preferred cover is formed of Surlyn plastic (Du Pont Co.).
　The depressions, or dimples 11 may be stamped on the surface of the ball, or cast thereon, however, the preferred ball surface configuration is injection molded in two hemispheres and bonded together by conventional means to form the complete sphere.
　As shown in FIGS. 2 and 3, the conventional golf ball of the prior art (FIG. 2) has a plurality of dimples, however, they are much larger in diameter and deeper than those of the present invention (FIG. 3). Conventional golf balls are formed with from 384 to 492 dimples. FIG. 2 illustrates a conventional golf ball having 384 dimples. The surface diameter of the dimples of conventional golf balls is much larger than that of the present invention.
　As seen in FIG. 3, the present golf ball 10 has 812 small dimples equally spaced over the surface of the ball. However, it should be understood that the number may range from 500 to 900 dimples, and may cover from 20% to 90% of the surface area of the ball.
　Referring now to FIG. 4, the depressions or dimples of the present golf ball 10 have a surface diameter in the range of from 0.090 inches to 0.140 inches, and may be round, square, octagon, or hexagon. A hexagonal shaped dimple having sloped sides is preferred, with the diameter in the stated range being measured across the flats AB and having a depth CD of not less than 0.002 inch or greater than 0.014 inch.
　Conventional golf balls utilize various dimple patterns such as; icosahedral (20 triangles), octahedral (8 triangles), dodecahedral (12 pentagons), double-dimple triangular design, icosahedral multiple parting line (12 pentagons within 20 triangles, and an interlock (80 small triangles within 20 large triangles).
　The dimples of the present ball 10 are arranged in a geodesic icosahedral pattern over the surface of the ball, and more particularly, in a pattern known as a geodesic nine-frequency icosahedral pattern (FIG. 5). It has been determined through testing that the most accurate multi-purpose golf ball is produced with a combination of 812 concave hexagonal surface depressions arranged in a regular geodesic nine-frequency icosahedral pattern over the surface of the ball and each depression having a surface diameter in the range of from 0.090 inches to 0.140 inches and a depth in the range of from 0.002 inches to 0.014 inches.
　In other words, as illustrated in FIGS. 6 and 7, there are twenty (icosahedral) main triangles, only one of which is shown in FIG. 7, and each side of each main triangle is divided into nine parts 1-9 (hence nine-frequency). The division points are connected by lines to form a series of intersecting vertices to produce a total of 812 vertices uniformly distributed over the entire surface of the sphere in accordance with known principles of mathmatics. Each of the dimples is preferrably centered on each of the vertices intersections. The term geodesic pertains to the geometry of curved surfaces, wherein the lines of the triangles are actually curved lines rather than straight lines, as would be the case in plane geometry. However, for purposes of illustration and ease of understanding the lines of FIG. 7 are represented as straight lines.」（３欄３４行〜４欄４０行）
　（好ましい実施例の記載
　図面番号により図面を参照すると，図１には，好ましい多目的ゴルフボール１０が示されている。この多目的ゴルフボール１０は，ボール表面に亘り等間隔で配置された複数の凹状表面窪み，即ち，ディンプル１１を有する球体である。ボール１０は弾性体からなる内側ボールを有し，この内側ボールは，既に当分野でよく知られているように，中空体，ソリッド芯体，液体充填体，又は弾性糸巻被覆体とすることができる。好ましい芯は固いゴム性ポリマーで造られる。（甲第１号証訳文では「造れられる。」と記載されているが，当審で誤記と認めて，上記のとおり記載した。）ボール１０の外側カバーは，これもまた当分野でよく知られているように，強靱なポリマー材料からなる。好ましいカバーはサーリン樹脂（Du　Pont　Co）で造られる。
　窪み，即ちディンプル１１がボール表面に刻印，又は鋳造により形成されるが，好ましいボールの表面形状は，二つの半球内に注入形成され，通常の手段によりそれらを一体に接合して完全な球体を形成する。
　図２及び図３に示すように，従来のゴルフボール（図２）は複数のディンプルを持つが，それらは本発明のもの（図３）よりかなり大きくて深いものである。従来のゴルフボールは３８４〜４９２個のディンプルを持つ。図２は３８４個のディンプルを持つ。従来のゴルフボールのディンプルの表面直径は本発明のものよりかなり大きい。
　図３に示されるように，本発明のゴルフボール１０はボール表面に均等な間隔を置いて８１２個の小さいディンプルを有している。しかしながら，その数は５００から９００の範囲にすることができ，ボールの表面の２０％から９０％をカバーするようにすることができる。
　図４を参照すると，本発明のゴルフボール１０の窪み即ちディンプルは０．０９０インチから０．１４０インチの範囲の表面直径を持ち，円形，四角形，八角形，又は六角形とすることができる。フラットＡＢをよぎって測定される上述の範囲の直径と０．００２インチ以上，或いは０．０１４インチより大きい深さを持つ，傾斜した側壁を持つ六角形ディンプルが好ましい。
　通常のゴルフボールは２０面体（２０の三角形），８面体（８の三角形），１２面体（１２の三角形），二重ディンプル三角形設計，２０面体多数分割ライン（２０の三角形内に１２の五角形，及び２０の大きい三角形の内部に８０の小さい三角形）のような種々のディンプルパターンを用いている。（甲第１号証訳文では「２０面体多数分ライン」と記載されているが，当審で誤記と認めて，上記のとおり記載した。）
　本発明のボール１０のディンプルはボールの表面に渡り測地学の２０面体パターンで配置されており，特に，測地学の９周期２０面体パターン（図５）で配置されている。最も正確な多目的ゴルフボールは，ボールの表面全体に渡り規則的な測地学の９周期２０面体パターンで配置された８１２個の六角形表面の窪み又はディンプルが配置され，各ディンプルは０．０９０インチから０．１４０インチの範囲の表面直径と０．００２インチから０．０１４インチの範囲の深さの組み合わせにより造られるということがテストを通じて決定された。
　即ち，図６及び図７に示されるように，２０の（２０面体）主三角形があり，そのうちの一つが図７に示されており，各主三角形の各辺は９の部分１−９に分割されている（従って，９周期）。その分割点は線で連結されて一連の１点で交わる頂点を形成して，既知の数学法則に従って全体で８１２個の頂点が均一に球面全体に分布する。各ディンプルは好ましくは各測地学の頂点の交差部に中心がくるようにされる。「測地学」の用語は，曲面のジオメトリーに関連するものであり，三角の線が実際は，平面における場合のような直線でなく，曲線である。しかしながら，説明のためと理解を容易にするため，図７においては直線で示している。）（６頁９行〜８頁４行）
カ「1. A multi-purpose golf ball having 812 concave hexagonal surface depressions uniformly arranged over the surface thereof,
each of said hexagonal depressions having a surface diameter in the range of from 0.090 inches to 0.140 inches and having a depth in the range of from 0.002 inches to 0.014 inches,
said 812 hexagonal depressions being uniformly arranged over the surface of the ball in a nine frequency geodesic or curved icosahedral pattern defined by twenty main triangles with each side of each main triangle divided into nine parts to form a total of 812 intersecting vertices uniformly distributed over the entire surface of the ball, and
each of said depressions being centered on the point of intersection of each of the vertices.」（６欄３６〜５１行）
　（１．８１２個の凹んだ六角形の表面の窪みが表面全体に均一に配置された多目的ゴルフボールであって，
　前記各六角形の窪みは０．０９０インチから０．１４０インチの範囲の表面直径と，０．００２インチから０．０１４インチの範囲の深さを有し，
　前記８１２個の六角形窪みは，２０個の主三角形とその各辺が９つの部分に分割されて総数が８１２個の交差する頂点がボール表面の全体に均一に分散して配列されることにより画成される，９周期の測地学又は曲面の正２０面体パターンで配列され，
　前記各窪みは前記各頂点の交差部分に中心が配置される，
　多目的ゴルフボール。）（１１頁１２行〜末尾）
　上記記載を含む甲第１号証全体の記載から，甲第１号証には，以下の発明が開示されていると認められる。
　「ボール表面に亘り等間隔で配置された複数の凹状表面窪み，即ち，ディンプル１１を有する球体であって，
　ボールの表面全体に渡り規則的な測地学の９周期２０面体パターンで配置された８１２個の六角形表面の窪み又はディンプルが配置され，
　該ディンプルは０．０９０インチから０．１４０インチの範囲の表面直径と０．００２インチから０．０１４インチの範囲の深さの組み合わせにより造られるゴルフボール。」（以下，「甲第１号証に記載された発明」という。）
（２）甲第２号証について
　請求人が提出し，本件の優先権主張日前に頒布された甲第２号証（特開昭５８−２５１８０号公報）には，２５０〜５００のディンプルを備えた球面を備えたゴルフボールが記載され，その４頁左上欄表１には，ｈ（ディンプルのくぼみの深さ）が，０．２３７ｍｍ，０．２５６ｍｍである旨の記載及び，「個々のくぼみは，浅いくぼみの形を保ちながら個々の体積を増やす弓形または角のあるふちのへこみを周辺付近に備えたことを特徴としている。」（２頁左下欄１２〜１５行），「くぼみ図形は第２図に示すように弓形弯曲であってもよい」（５頁右上欄３〜５行）との記載がある。
（３）甲第３号証について
　請求人が提出し，本件の優先権主張日前に頒布された甲第３号証（特開平４−３１４４６２号公報）には，表面にディンプルを有するゴルフボールが記載され，その【００１３】段落には，ディンプルの深さは０．１ｍｍ〜０．２ｍｍの範囲である旨の記載がある。
（４）甲第４号証について
　請求人が提出し，本件の優先権主張日前に頒布された甲第４号証（特開昭６２−１９２１８１号公報）には，ボール球面上に複数種類のディンプルが配置されたゴルフボールが記載され，その５頁の第１表及び６頁の第２表には，ディンプルの深さが，０．１８ｍｍ〜０．３３ｍｍの範囲である旨の記載がある。
（５）甲第５号証について
　請求人が提出し，本件の優先権主張日前に頒布された甲第５号証（特開昭６０−９６２７２号公報）には，正多面体ディンプル配列パターンを有するゴルフボールが記載され，その３頁の表には，ディンプル深さ０．１１９ｍｍ〜０．２５５ｍｍの範囲である旨の記載がある。
（６）甲第６号証について
　請求人が提出し，本件の優先権主張日前に頒布された甲第６号証（特開平８−８０３６０号公報）には，ゴルフボールに関し，「【０００３】・・・公式のＵＳＧＡボールの場合，その径は少なくとも４２．６７ｍｍ（１．６８０インチ）であり・・・」と記載されている。
（７）甲第７号証について
　請求人が提出し，本件の優先権主張日前に頒布された甲第７号証（特開平６−１７００１５号公報）には，ゴルフボールのディンプルに関し，「【００３５】通常ゴルフボールのディンプルの曲率半径は，４．０〜２５．０ｍｍ程度・・・」と記載されている。
（８）甲第８号証について
　請求人が提出し，本件の優先権主張日前に頒布された甲第８号証（特開昭４８−６３８３５号公報）には，表面に多数の凹みを含むゴルフボールに関し，「凹みの縁部の曲率が約０．０２０〜０．０８０インチ（０．５０８〜２．０３２ｍｍ）であるなら，ゴルフボールは尚一層よく飛ぶことを見いだした。」（２頁左上欄６〜９行）と記載されている。
（９）甲第９号証について
　請求人が提出し，本件の優先権主張日前に頒布された甲第９号証（実願昭５３−６０９６５号［実開昭５３−６０９６５号］のマイクロフィルム）には，ゴルフボールのディンプルに関し，「ゴルフボールのディンプル２０と周辺１４との間の上縁辺部は丸みづけられそして丸みづけられた上縁辺部の曲率半径は０．０２０〜０．０８０インチ，好ましくは０．０３０〜０．０４０インチである。」（１４頁４〜８行）と記載されている。
（１０）甲第１０号証について
　請求人が提出し，本件の優先権主張日前に頒布された甲第１０号証（特開平７−２８９６６２号公報）には，以下の記載がある。
　「【特許請求の範囲】
　【請求項１】球表面の少なくとも一部の範囲に，隣合う六角形ディンプルの辺同志が略一定幅のランドをおいて略平行に並ぶように複数の六角形ディンプルを稠密に配設したことを特徴とするゴルフボール。
　【請求項２】球表面を仮想区画線によって複数のエリアに区画し，仮想区画線上の少なくとも一部の範囲に，隣合う六角形ディンプルの辺同志が略一定幅のランドをおいて略平行に並ぶように複数の六角形ディンプルを列状に配設するとともに，全てのエリア内の少なくとも一部の範囲に，隣合う六角形ディンプルの辺同志が略一定幅のランドをおいて略平行に並ぶように複数の六角形ディンプルを稠密に配設した請求項１記載のゴルフボール。
　【請求項３】前記六角形ディンプルの内縁部に，前記六角形ディンプルの最深部より浅い少なくとも一段のディンプル内段部を隆起形成した請求項１又は２記載のゴルフボール。
　【請求項４】前記ディンプル内段部の内縁は略円形である請求項３記載のゴルフボール。」
　「【発明の詳細な説明】
　【０００１】
　【産業上の利用分野】本発明は，新しいディンプル・ランド理論に基づくゴルフボールに関するものである。なお，本明細書において「ランド」とは，球表面にディンプルを設けたときにディンプル間に残る陸部分をいう。」
「【０００８】六角形ディンプルの配設の仕方に関しては前記条件以外の限定を受けないが，球表面のできる限り多くの範囲に，六角形ディンプルを稠密にかつ均一に配設することが望ましい。そのためには，例えば，球表面を仮想区画線によって複数のエリアに区画し，仮想区画線上の少なくとも一部の範囲に，隣合う六角形ディンプルの辺同志が略一定幅のランドをおいて略平行に並ぶように複数の六角形ディンプルを列状に配設するとともに，全てのエリア内の少なくとも一部の範囲に，隣合う六角形ディンプルの辺同志が略一定幅のランドをおいて略平行に並ぶように複数の六角形ディンプルを稠密に配設するとよい。各「少なくとも一部の範囲」については，前記と同じである。さらに，仮想区画線上の六角形ディンプルとエリア内の六角形ディンプルの辺同志も略一定幅のランドをおいて略平行に並ぶとよい。」
　「【００１０】また，ランドの合計面積は，ゴルフボールの仮想球表面積（ディンプルが無いと仮想したときの球表面積をいう。本明細書において同じ。）の４０％以下にするのが好ましいが，さらに好ましくは３０％以下であり，特にプロや上級アマチュア向けのゴルフボールのように飛距離性を高めたいときには２０％以下にすることが重要である。
　【００１１】ランドの幅は，０．０〜２．５ｍｍ位の範囲から適宜設定できるが，ランドの合計面積を小さくするために好ましくは０．１〜１．５ｍｍの範囲，特にプロや上級アマチュア向けのゴルフボールのように飛距離性を高めたいときには０．２〜１．０ｍｍの範囲から設定する。なお，ランドの幅が０．０ｍｍとは，隣合う六角形ディンプル同志が辺を共有するように配設された場合をいう。但し，その場合でも，現実に形成されるディンプルの辺及び角にはアールが不可避的に付くから，そのアール分の幅・面積のランドはあることになる。」
　「【００２１】（２）周期特性の改善作用について本明細書でいう周期特性とは，ゴルフボールの任意の切断面においてディンプル及びランドがディンプル→ランド→ディンプル→ランド→……と周期的に現れ，その周期とディンプル及びランドの幅が，どの切断面をとっても均一に近い性質をいう。従来例のゴルフボールは，前記の通り円形ディンプル間のランドが円弧状に広がり，切断位置によってランドの幅が異なることから，周期特性が理想的とはいえない。これに対し，本発明のゴルフボールは，ランドが略一定幅で，しかもランド全体が略ハニカム網形状になるので，周期特性が改善される。そして，回転方向が特定されないゴルフボールは，あらゆる方向の均一性が要求されるが，本発明では周期特性の改善によってこの均一性を満足でき，安定性を向上できる。
　【００２２】図６は上記周期特性を説明するもので，
（ａ）は円形ディンプル５１が形成された従来例，
（ｂ）は六角形ディンプルが稠密に配設された本発明，
（ｃ）は四角形ディンプル５３が形成された比較例をそれぞれ示している。　従来例（ａ）では，いずれの切断線Ａ〜Ｅで切断しても，必ず円形ディンプル５１及びランド５２が周期的に現れるが，それらの間隔と幅は均一ではない。つまり，切断線Ａではランド５２の幅が狭いが，切断線Ｂ，Ｄではランド５２の幅が広い。これに対し，本発明（ｂ）では，勿論いずれの切断線Ａ〜Ｅで切断しても，必ず六角形ディンプル５及びランド６が周期的に現れるとともに，それらの間隔と幅は，円形ディンプルのレベルを越えて，常に均一に近い。つまり，切断線Ｄを除くいずれの切断線Ａ，Ｂ，Ｃ，Ｅでも，ランド６の幅は略一定で狭い。なお，比較例（ｃ）では，切断線Ｃで切断したときに，ランド５４が永遠に続いてしまい，周期特性の観点で，上記３種類の中では最も望ましくない。」
　「【００２９】
【実施例】以下，本発明を具体化したゴルフボールの実施例について，図面を参照して説明する。・・・
　【００３３】なお，図１１に示すように，本実施例の六角形ディンプル４，５の底部形状は浅い六角錐状の凹部であるが，最深部は球面状になっている。・・・
　【００３７】１（なお，公報において，前記「１」は，丸囲み数字である。）正多面体（正四面体，正六面体，正十二面体，正二十面体）図１２は，この正二十面体の各辺を球表面に投影した仮想区画線２によって，球表面を二十の球面三角形エリア３に区画したゴルフボール１を示している。そして，前記実施例と同様に，仮想区画線２上には多数の六角形ディンプル４をランド６をおいて一列に配設し，仮想区画線２同志の交点Ｐには五角形ディンプル７を配設し，球面正三角形エリア３内には多数の六角形ディンプル５をランド６をおいて稠密に配設したものである。」
　上記記載を含む甲第１０号証全体の記載から，甲第１０号証には，以下の発明が開示されていると認められる。
　「球表面にディンプルを設け，ディンプル間に残る陸部分をランドとしたゴルフボールであって，
該ディンプルは，正二十面体の各辺を球表面に投影した仮想区画線２によって，球表面を二十の球面三角形エリア３に区画し，前記仮想区画線２上には多数の六角形ディンプル４をランド６をおいて一列に配設し，前記仮想区画線２同志の交点Ｐには五角形ディンプル７を配設し，球面正三角形エリア３内には多数の六角形ディンプル５をランド６をおいて稠密に配設し，
ゴルフボールの任意の切断面においてディンプル及びランドがディンプル→ランド→ディンプル→ランド→……と周期的に現れるゴルフボール。」（以下，「甲第１０号証に記載された発明」という。）
（１１）甲第１１乃至１２号証について
　請求人が提出し，本件の優先権主張日前に頒布された甲第１１号証（特開平６−１８２００２号公報）【０００１】，【００３７】段落と，甲第１２号証（特開平８−４７５５３号公報）【０００１】，【０００６】段落には，ゴルフボールのコアにポリウレタンカバーを形成する旨と，ゴルフボールのコアはソリッドコアである旨が記載されている。
（１２）甲第１３号証について
　請求人が提出し，本件の優先権主張日前に頒布された甲第１３号証（特開平９−３０８７０９号公報）の【０００１】，【０００６】段落には，ゴルフボールのコアが「中空コア」である旨が記載されている。
（１３）甲第１４号証について
　請求人が提出し，本件の優先権主張日前に頒布された甲第１４号証（特開平１１−２９９９３０号公報）【００２０】段落には，ゴルフボールのコアが「液体コア」である旨が記載されている。
（１４）甲第１５号証について
　請求人が提出し，本件の優先権主張日前に頒布された甲第１５号証（特開昭６１−２２８７１号公報）には，「ゴルフボールの場合，一般的には風洞実験で得られる揚力係数と効力係数のうち揚力係数が大きく効力係数が小さい程，良好な空力特性を有すると考えられている。」（６頁左欄７行〜１０行）と記載されている。
（１５）甲第１６，１７号証は，平成２６年１月１０日付け審判請求書において，
　「９．付言
　甲１０発明は補正のうえ特許第３４７８３０３号として，特許されたが，甲１０発明についての無効審判（無効２００８−８００１９１）の２次審決は，甲１に記載の発明の隣合う六角形表面のディンプル間の断面形状として甲第１６号証（特開昭５３−１１５３３０号公報）に記載の正弦波状よりなる断面形状を採用することは当業者が適宜なし得る設計事項である，また，甲第１７号証（特開平４−３４７１７７号公報）にはランド部の面積を小さくすると空力特性が高くなることが記載されており，ランドの幅を０．０ｍｍとすることは当業者が容易になし得る程度のことである等と判断し，甲１０発明は進歩性を欠如するとして無効とした。
　知財高裁も審決取消訴訟（平成２２年（行ケ）第１０１２０号）で上記判断を支持し，同審決は確定している。
　上記判断は本件請求項１発明にも当てはまるものであり・・・」との主張とともに，請求人が提出したものである。
（１６）甲第１８号証について
　請求人が提出し，「ディンプル」という語句の辞書における定義，意味が記載されている。
（１７）甲第１９号証について
　請求人が提出し，被請求人が本件の優先権主張日後に，くぼみの底部に内側球体の表面があると思われるゴルフボールを，ＵＳＧＡ（全米ゴルフ協会）に登録したと主張するものである。
（１８）甲第２０号証について
　請求人が提出し，甲第１９号証に係るゴルフボールの計測報告書である。
（１９）甲第２１号証について
　請求人が提出し，本件の優先権主張日前に市販されていたと主張するゴルフボールの計測報告書である。
（２０）甲第２２号証について
　請求人が提出し，本件の優先権主張日前に出願された，ランドを０（ゼロ）としたゴルフボールに係る特許公報である。
（２０）甲第２３〜２７号証について
　請求人が提出し，本件の優先権主張日前に出願された，ゴルフボールのくぼみの底部形状を示す公開公報である。
　２　本件発明１についての検討
　無効理由１は，本件特許の請求項１乃至８に係る発明は，甲第１号証記載の発明と甲第２号証の事項及び周知事項あるいは設計事項から当業者が容易に発明をすることができたというものと，甲第１０号証記載の発明と甲第２号証の事項及び周知事項あるいは設計事項から当業者が容易に発明をすることができたというものとの，２つの理由から成り立っているため，前者を「無効理由１−１」，後者を「無効理由１−２」と分けて検討することとする。
　ア　無効理由１−１について
　（１）対比
　上記甲第１号証に記載された発明をさらに検討する。
　甲第１号証に記載された発明におけるゴルフボールは「ボール表面に亘り等間隔で配置された複数の凹状表面窪み，即ち，ディンプル１１を有する球体」であるから，表面を有する球体と，この球体の表面から窪んだ凹状表面窪みを有する。
　さらに，この凹状表面窪みは，「ボール表面に亘り等間隔で配置され」るものであり，図１及び図４の記載も踏まえると，ボールの表面には複数の凹状表面窪みが形成され，隣り合う凹状表面窪み同士の間には，窪みの生じていない部分（以下，この部分を「非窪み部分」という。）が形成されることは明らかである。
　そして，凹状表面窪み部分は図４の記載からみて曲線で形成されることが明らかであるから，非窪み部分の両側の凹状表面窪みの一方の凹状表面窪みを第１の凹状表面窪みとし，他方を第２の凹状表面窪みとすると，甲第１号証記載のゴルフボールは，第１の凹状表面窪みと第２の凹状表面窪みと，上記第１の凹状表面窪みと第２の凹状表面窪みの間に設けられた非窪み部分を有し，かつ，第１及び第２の凹状表面窪みが曲線である断面を持つといえる。
　次に，甲第１号証に記載された発明におけるゴルフボールは「ボールの表面全体に渡り規則的な測地学の９周期２０面体パターンで配置された８１２個の六角形表面の窪み又はディンプルが配置され」ていることから，凹状表面窪み，すなわちディンプルは六角形表面の窪みが形成されるように配置されており，これは格子構造であるといえる。そして，複数の非窪み部分は，凹状表面窪みの間に設けられていることから，相互に連結した格子部材を形成するといえる。
　また，甲第１号証記載のゴルフボールの「ディンプルは…０．００２インチから０．０１４インチの範囲の深さの組み合わせにより造られる」ことから，凹状表面窪みの底部から非窪み部分の頂部までの距離が０．００２インチ〜０．０１４インチの範囲であるといえる。
　さらに，図４の記載から，相互に連結された非窪み部分の頂部はゴルフボールの最外部であることが明らかである。
　以上のことより，甲第１号証には，以下の発明が開示されていると認められる。
　「表面を有する球体と，
　前記球体の表面から窪んだ格子構造であって，該格子構造は複数の相互に連結した格子部材からなり，各格子部材は，第１の凹状表面窪みと第２の凹状表面窪み部分と，前記第１の凹状表面窪み部分と第２の凹状表面窪み部分との間に設けられた非窪み部分を有する第１及び第２の凹状表面窪み部分が曲線である断面を持ち，前記非窪み部分は頂部を有し，　各格子部材の底部から前記頂部までの距離が０．００２インチ〜０．０１４インチの範囲であり，
　前記相互に連結された格子部材の頂部はゴルフボールの最外部であり，
　前記複数の格子部材は互いに辺を共有して連結された複数の六角形状の領域を形成している
　ディンプルを伴うゴルフボール。」（以下「甲第１号証発明」という。）
　本件発明１と甲第１号証発明とを比較すると，本件発明１と甲第１号証発明は，
　「表面を有する球体と，
　前記球体の表面に形成された格子構造であって，該格子構造は複数の相互に連結した格子部材からなり，各格子部材は第１の窪み部分と第２の窪み部分と，前記第１の窪み部分と第２の窪み部分との間に設けられた隆起部分を有する第１及び第２の窪み部分が曲線である断面を持ち，前記隆起部分は頂部を有し，
　前記相互に連結された格子部材の頂部はゴルフボールの最外部であり，
　前記複数の格子部材は互いに辺を共有して連結された複数の六角形状の領域を形成しているゴルフボール。」
　の点で一致し，以下の点で相違する。
　相違点１
　格子構造について着目すると，本件発明１の格子構造は４．０６ｃｍ〜４．３２ｃｍの範囲を有する内側球体の表面から延びる格子構造であるのに対し，甲第１号証発明の格子構造は，球体の表面から窪んだ格子構造である点，において相違する。
　相違点２
　格子部材の断面に着目すると，本件発明１の格子部材は，第１の凹部分と第２の凹部分と凸部分を有する曲線の断面を持ち（すなわち，二つの凹部分と凸部分が曲線で形成されている。），格子部材の底部から前記頂部までの距離が０．０１２７ｃｍ〜０．０２５４ｃｍの範囲であり，第１の凹部分と第２の凹部分は０．３８ｃｍ〜０．５１ｃｍの範囲の曲率半径を持ち，凸部分は０．０７ｃｍ〜０．０８８９ｃｍの曲率半径を持つ，ディンプルを伴わないゴルフボールであるのに対し，甲第１号証発明の格子部材は，第１及び第２の凹状表面窪み部分が曲線である断面を持ち，各格子部材の底部から前記頂部までの距離が０．００５ｃｍ〜０．０３５６ｃｍの範囲であることは特定されるものの，各部分の曲率半径は不明であり，第１及び第２の凹状表面窪みと非窪み部分の間は曲線の断面ではない点，において相違する。
　相違点３
　格子部材の球の表面方向の形状に着目すると，本件発明１の格子部材は，複数の六角形状の領域と，複数の五角形状の領域とを形成し，前記複数の五角形状の領域は前記複数の六角形状の領域の一部と互いに辺を共有して連結されているのに対し，甲第１号証発明の格子部材は複数の六角形の領域は形成しているものの，五角形状の領域については特定がない点，において相違する。
（２）判断
　相違点１についての検討
　甲第１号証発明における「ディンプル」は，甲第１８号証に記載されるように「ゴルフボールの表面のくぼみ」として，ゴルフボールの技術分野において周知の構造である。
　また，ゴルフボールの表面に設けられたディンプルが「飛んでいるゴルフボールの表面の空気の境界層を捕捉し，より大きい浮揚と流体抵抗を抑制するように設計され」ていることも周知である。
　さらに，本件訂正明細書の段落【００４９】に「本発明のゴルフボール２０は飛んでいるゴルフボール２０の表面の周りに空気の境界層を捕捉する管状格子構造を有する。」と記載されているとおり，本発明のゴルフボール２０の表面の周りに設けられた管状格子構造も，従来より周知のディンプルと，同じ作用効果を奏しているものである。
　つまり，本件発明１と甲第１号証発明とは，「ゴルフボールの表面の周りに空気の境界層を捕捉する構造」を設ける点で共通しており，構造上，前者は「凸部状の構造」であり，後者は「凹部状の構造」である点で相違しているといえるが，ゴルフボールの最外部を基準面として見た場合，本件発明１と甲第１号証発明とは「凹部状の構造」であるといえる。
　後者において「ディンプル」は，均等な間隔を置いて配置されているから，その底部である「Ｃ」を結んで得られる仮想的な球体を基準面として見た場合，「内側球体の表面から延びる格子構造」であるともいえ，本件発明１も甲第１号証発明も「凸部状の構造」を有しているともいえる。
　つまり，本件発明１の「格子構造」も，甲第１号証発明の「ディンプル」も，ゴルフボールの表面に存在する実質的に同じ構造であることは明らかである。
　次に，甲第１号証発明における内側球体の直径について検討する。
　甲第１号証発明が，本件発明１における「内側球体」に相当する構造を有するかについては，上述したとおり，均等な間隔を置いて配置されているディンプル１１の底部である「Ｃ」を結んで得られる仮想的な球体が，本件発明１における「内側球体」に相当することは自明であるが，甲第１号証において，内側球体の直径についても，本件発明１の「外側球体の直径」に相当するゴルフボールの直径についても，なんら数値限定は記載されていない。
　しかしながら，ゴルフボールである以上，米国ゴルフ協会（ＵＳＧＡ）やセントアンドリウスロイヤルエイシャントゴルフクラブ（Ｒ＆Ａ）が定めるゴルフ規則を遵守しているとするのが妥当であると考えられ，その場合，該規則におけるボールの直径（外側球体）の下限値が１．６８０インチ（４．２６７ｃｍ）である。
　そして，甲第１号証発明の「格子部材の底部から前記頂部までの距離」が，「０．００５ｃｍ〜０．０３５６ｃｍの範囲」とされているから，内側球体の直径の採り得る範囲は，４．１９６ｃｍ〜４．２５７ｃｍとなり，本件発明１と甲第１号証発明の内側球体の直径は，一部重複する。
　よって，本件発明１の相違点１に係る構成については，甲第１号証発明に実質的に記載されているか，甲第１号証発明から当業者が容易に想到し得たものである。
　相違点２についての検討
　「格子部材の底部から前記頂部までの距離」について検討する。
　前者が「０．０１２７ｃｍ〜０．０２５４ｃｍの範囲」，後者が「０．００５ｃｍ〜０．０３５６ｃｍの範囲」であるから，後者の数値限定は，前者の数値限定を包含している。
　第１の凹部分と第２の凹部分の曲率半径について検討する。
　甲第７号証には，ディンプルの曲率半径を４．０〜２５．０ｍｍ程度，つまり０．４ｃｍ〜２．５ｃｍとしたゴルフボールが記載されており，これは，本件発明１の「第１の凹部分と第２の凹部分」に対応する箇所の曲率半径であることは明らかであって，数値限定としては前者の数値限定と一部重複している。
　凸部分の曲率半径について検討する。
　甲第３号証の【図２】には，本件発明１の「第１の凹部分と第２の凹部分の間に設けられた凸部分を有する曲線の断面」に相当する構成が記載されているが，その凸部分の曲率半径について具体的な数値限定は記載されない。
　甲第４号証の第１１図及び第１２図には，ディンプルエッジ６とボール仮想球面８が接する箇所の近傍を曲面で構成する点が記載されており，本件発明１の「第１の凹部分と第２の凹部分の間に設けられた凸部分を有する曲線の断面」に相当する構成が記載されているが，その凸部分の曲率半径について具体的な数値限定は記載されない。
　甲第８号証には，凹み２０とゴルフボール周縁１４との間の丸みづけられた上縁辺部の曲率半径を約０．０２０〜０．０８０インチ，つまり０．０５０８ｃｍ〜０．２０３２ｃｍとしたゴルフボールが記載されているが，凹みと凹みの間に設けられた凸部分の頂部はゴルフボール周縁１４にあり，凸部分の曲率半径が０．０７ｃｍ（０．０２７５ｉｎ）〜０．０８８９ｃｍ（０．０３５０ｉｎ）の範囲にあるものではない。
　甲第９号証には，ディンプル２０と周面１４との間の丸みづけられた上縁辺部の曲率半径を０．０２０〜０．０８０インチ，つまり０．０５０８ｃｍ〜０．２０３２ｃｍとしたゴルフボールが記載されているが，ディンプルとディンプルの間に設けられた凸部分の頂部はゴルフボール周縁１４にあり，凸部分の曲率半径が０．０７ｃｍ（０．０２７５ｉｎ）〜０．０８８９ｃｍ（０．０３５０ｉｎ）の範囲にあるものではない。
　また，甲第３，４，８及び９号証に記載された，本件発明１の凸部分の頂部に相当する部位は，ゴルフボールの外周部にあるため，凸部分の曲率半径としては，ゴルフボールの半径に等しくなることは自明である。
　そして，本件発明１の凸部分は，内側球体の表面から延びる格子構造であるため，格子部材の頂部はゴルフボールの最外部，つまり，ゴルフボールの外周部を構成することになるが，その曲率半径は，請求項１に限定されたとおりの０．０７ｃｍ（０．０２７５ｉｎ）〜０．０８８９ｃｍ（０．０３５０ｉｎ）の範囲であって，該数値範囲は，甲第３，４，８及び９号証に記載はなく，甲第３，４，８及び９号証の記載から，当業者が容易に想到し得たとすることはできず，他の甲号各証にもこの点については，記載も示唆もない。
　相違点３についての検討
　甲第１号証において，図７では三角形エリアの全ディンプルが六角形とされているが，図６では該三角形エリアの交点は５つの三角形エリアが互いに接するようにゴルフボールの球面を内接する２０面体パターンに基づく２０の主三角形に分割されているから，各交点（主三角形の頂点が対応する）に配されるディンプルの外形は，六角形のディンプルに代えて五角形のディンプルにすることで，ゴルフボールの球面に合理的にディンプルが収まることは，当業者にとって容易に想到されうる技術事項である。
　また，甲第１０号証には，正二十面体の各辺を球表面に投影した仮想区画線によって，球表面を二十の球面三角形エリアに区画し，仮想区画線上には多数の六角形ディンプルをランドをおいて一列に配設し，仮想区画線同志の交点には五角形ディンプルを配設し，球面正三角形エリア内には多数の六角形ディンプルをランドをおいて稠密に配設する発明が記載されており，甲第１発明における主三角形の分割の態様を考慮すると，甲第１０号証に記載された五角形と六角形ディンプルの組み合わせからなるディンプルの配列の態様を用いて，相違点３に係る本件発明１の構成とすることは，当業者が容易になしえたことである。
　よって，本件発明１の相違点３に係る構成については，甲第１号証発明から当業者が容易に想到し得たか，甲第１号証発明と甲第１０号証発明とから当業者が容易に想到し得たものである。
　（３）小括
　以上によれば，［相違点２］について容易想到とすることができないから，本件発明１は，甲第１号証発明と甲第２号証の事項及び周知事項に基づいて当業者が容易に想到し得たものとすることはできず，本件発明１の特許は，特許法第２９条第２項の規定に違反してされたものではない。
　イ　無効理由１−２について
　（１）対比
　上記甲第１０号証に記載された発明をさらに検討する。
　甲第１０号証に記載されたゴルフボールは，球体の表面からディンプルを窪ませてゴルフボール表面にディンプルとランドを形成したものであり，これによりゴルフボール表面に格子構造を形成したものであることは明らかである。
　そして，ランドとディンプルによって格子部材を形成し，ディンプルには六角形ディンプルと五角形ディンプルがあり，「ゴルフボールの任意の切断面においてディンプル及びランドがディンプル→ランド→ディンプル→ランド→……と周期的に現れ」ることから，格子部材であるランドが互いに辺を共有して連結されたものであるといえる。さらに，図１２の記載からみて，複数の五角形ディンプルは複数の六角形ディンプルの一部と互いに辺を共有して連結している。
　そして，切断面において周期的に表れるディンプル→ランド→ディンプルのうち，一方のディンプルを第１のディンプルとし，他方のディンプルを第２のディンプルとすると，ランドは第１のディンプルと第２のディンプルとの間に設けられることとなる。また，図１１の記載からみて，第１及び第２のディンプルが曲線である断面を持つものといえる。
　さらに，図１２の記載から，ランドの頂部はゴルフボールの最外部であることが明らかである。
　以上のことより，甲第１０号証には，以下の発明が開示されていると認められる。
　「表面を有する球体と，
前記球体の表面から窪んだ格子構造であって，該格子構造は複数の相互に連結した格子部材からなり，各格子部材は，第１のディンプルと第２のディンプルと，前記第１のディンプルと第２のディンプルとの間に設けられたランドを有する第１及び第２のディンプルが曲線である断面を持ち，前記ランドは頂部を有し，
前記相互に連結された格子部材の頂部はゴルフボールの最外部であり，
前記複数の格子部材は互いに辺を共有して連結された複数の六角形状の領域と，複数の五角形状の領域とを形成し，前記複数の五角形状の領域は前記複数の六角形状の領域の一部と互いに辺を共有して連結されているディンプルを伴うゴルフボール。」（以下「甲第１０号証発明」という。）
　本件発明１と甲第１０号証発明とを比較すると，本件発明１と甲第１０号証発明は，
「表面を有する球体と，
　前記球体の表面に形成された格子構造であって，該格子構造は複数の相互に連結した格子部材からなり，各格子部材は第１の窪み部分と第２の窪み部分と，前期第１の窪み部分と第２の窪み部分との間に設けられた隆起部分を有する第１及び第２の窪み部分が曲線である断面を持ち，前記隆起部分は頂部を有し，
　前記相互に連結された格子部材の頂部はゴルフボールの最外部であり，
前記複数の格子部材は互いに辺を共有して連結された複数の六角形状の領域と，複数の五角形状の領域とを形成し，前記複数の五角形状の領域は前記複数の六角形状の領域の一部と互いに辺を共有して連結されている，ゴルフボール。」の点で一致し，以下の点で相違する。
　相違点イ
　格子構造について着目すると，本件発明１の格子構造は４．０６ｃｍ〜４．３２ｃｍの範囲を有する内側球体の表面から延びる格子構造であるのに対し，甲第１０号証発明の格子構造は，球体の表面から窪んだ格子構造である点，において相違する。
　相違点ロ
　格子部材の断面に着目すると，本件発明１の格子部材は，第１の凹部分と第２の凹部分と凸部分を有する曲線の断面を持ち（すなわち，２つの凹部分と凸部分が曲線で形成されている），格子部材の底部から頂部までの距離が０．０１２７ｃｍ〜０．０２５４ｃｍの範囲であり，第１の凹部分と第２の凹部分は０．３８ｃｍ〜０．５１ｃｍの範囲の曲率半径を持ち，凸部分は０．０７ｃｍ〜０．０８８９ｃｍの曲率半径を持つ，ディンプルを伴わないゴルフボールであるのに対し，甲第１０号証発明の格子部材は，第１及び第２のディンプルが曲線である断面を持つことは特定されるものの，格子部材の底部から頂部までの距離及び各部分の曲率半径は不明であり，第１及び第２のディンプルとランドの間の断面形状は明確ではない点，において相違する。
（２）判断
　相違点イについての検討
　甲第１０号証発明における「ディンプル」は，甲第１８号証に記載されるように「ゴルフボールの表面のくぼみ」として，ゴルフボールの技術分野において周知の構造である。
　また，ゴルフボールの表面に設けられたディンプルが「飛んでいるゴルフボールの表面の空気の境界層を捕捉し，より大きい浮揚と流体抵抗を抑制するように設計され」ていることも周知である。
　さらに，本件訂正明細書の段落【００４９】に「本発明のゴルフボール２０は飛んでいるゴルフボール２０の表面の周りに空気の境界層を捕捉する管状格子構造を有する。」と記載されているとおり，本発明のゴルフボール２０の表面の周りに設けられた管状格子構造も，従来より周知のディンプルと，同じ作用効果を奏しているものである。
　つまり，本件発明１と甲第１０号証発明とは，「ゴルフボールの表面の周りに空気の境界層を捕捉する構造」を設ける点で共通しており，構造上，前者は「凸部状の構造」であり，後者は「凹部状の構造」である点で相違しているといえるが，ゴルフボールの最外部を基準面として見た場合，どちらも「凹部状の構造」であるといえる。
　後者において「ディンプル」は，稠密に配置されているから，その最深部である「球面状部の頂点」を結んで得られる仮想的な球体を基準面として見た場合，「内側球体の表面から延びる格子構造」であるともいえ，どちらも「凸部状の構造」であるともいえる。
　つまり，本件発明１の「格子構造」も，甲第１０号証発明の「ディンプル」も，ゴルフボールの表面に存在する実質的に同じ構造であることは明らかである。
　次に，甲第１０号証発明における内側球体の直径について検討する。
　甲第１０号証発明が，本件発明１における「内側球体」に相当する構造を有するかについては，上述したとおり，稠密に配置されているディンプルの底部である「球面状部の頂点」を結んで得られる仮想的な球体が，本件発明１における「内側球体」に相当することは自明であるが，甲第１０号証において，内側球体の直径についても，本件発明１の「外側球体の直径」に相当するゴルフボールの直径についても，なんら数値限定は記載されていないものの，ゴルフボールである以上，米国ゴルフ協会（ＵＳＧＡ）やセントアンドリウスロイヤルエイシャントゴルフクラブ（Ｒ＆Ａ）が定めるゴルフ規則を遵守しているとするのが妥当であると考えられ，その場合，該規則におけるボールの直径（外側球体）の下限値が１．６８０インチ（４．２６７ｃｍ）であるが，甲第１０号証発明において「格子部材の底部から前記頂部までの距離」は，なんら記載されておらず，内側球体の直径の採り得る範囲を甲第１０号証のみからは，定めることはできない。
　しかしながら，ディンプルの深さのことである「格子部材の底部から前記頂部までの距離」を，甲第３号証においては「０．１ｍｍ〜０．２ｍｍの範囲」，甲第４号証においては「０．１８ｍｍ〜０．３３ｍｍの範囲」，甲第５号証においては「０．１１９ｍｍ〜０．２５５ｍｍの範囲」とすることがそれぞれ記載されている。
　上記各甲号証の数値を，外側球体の直径がから１．６８０インチ（４．２６７ｃｍ）のゴルフボールに当てはめると，内側球体の直径はそれぞれ以下のとおりとなる。
「４．２２７ｃｍ〜４．２４７ｃｍ（甲第３号証）」，「４．２０１ｃｍ〜４．２３１ｃｍ（甲第４号証）」，「４．２１６ｃｍ〜４．２４３ｃｍ（甲第５号証）。
　上記の各甲号証から得られる内側球体の直径は，本件発明１の内側球体の直径４．０６ｃｍ〜４．３２ｃｍと一部重複する。
　また「無効理由１−１について」で検討したとおり，甲第１号証から得られる内側球体の直径は，本件発明１の内側球体の直径と一部重複しており，本件発明１の相違点イに係る構成のうち数値限定については周知技術にすぎない。
　さらに，本願発明１において当該数値範囲を採ったことによる臨界的効果について記載も示唆もされないから，本件発明１の相違点イに係る構成のうち数値限定については，甲第１０号証発明と周知技術とから当業者が容易に想到し得たものである。
　相違点ロについての検討
　格子部材の底部から前記頂部までの距離について検討する。
　「相違点イについて」で検討したように，「格子部材の底部から前記頂部までの距離」を「０．０１２７ｃｍ〜０．０２５４ｃｍの範囲」を含むようにすることは周知技術である。
　第１の凹部分と第２の凹部分の曲率半径について検討する。
　甲第７号証には，ディンプルの曲率半径を４．０〜２５ｍｍ程度，つまり０．４ｃｍ〜２．５ｃｍとしたゴルフボールが記載されており，これは，本件発明１の「第１の凹部分と第２の凹部分」に対応する箇所の曲率半径であることは明らかであって，数値限定としては前者の数値限定と一部重複している。
　凸部分の曲率半径について検討する。
　甲第３号証の【図２】には，本件発明１の「第１の凹部分と第２の凹部分の間に設けられた凸部分を有する曲線の断面」に相当する構成が記載されているが，その凸部分の曲率半径について具体的な数値限定は記載されない。
　甲第４号証の第１１図及び第１２図には，ディンプルエッジ６とボール仮想球面８が接する箇所の近傍を曲面で構成する点が記載されており，本件発明１の「第１の凹部分と第２の凹部分の間に設けられた凸部分を有する曲線の断面」に相当する構成が記載されているが，その凸部分の曲率半径について具体的な数値限定は記載されない。
　甲第８号証には，凹み２０とゴルフボール周縁１４との間の丸みづけられた上縁辺部の曲率半径を約０．０２０〜０．０８０インチ，つまり０．０５０８ｃｍ〜０．２０３２ｃｍとしたゴルフボールが記載されているが，凹みと凹みの間に設けられた凸部分の頂部はゴルフボール周縁１４にあり，凸部分の曲率半径が０．０７ｃｍ（０．０２７５ｉｎ）〜０．０８８９ｃｍ（０．０３５０ｉｎ）の範囲にあるものではない。
　甲第９号証には，ディンプル２０と周面１４との間の丸みづけられた上縁辺部の曲率半径を０．０２０〜０．０８０インチ，つまり０．０５０８ｃｍ〜０．２０３２ｃｍとしたゴルフボールが記載されているが，ディンプルとディンプルの間に設けられた凸部分の頂部はゴルフボール周縁１４にあり，凸部分の曲率半径が０．０７ｃｍ（０．０２７５ｉｎ）〜０．０８８９ｃｍ（０．０３５０ｉｎ）の範囲にあるものではない。
　また，甲第３，４，８及び９号証に記載された，本件発明１の凸部分の頂部に相当する部位は，ゴルフボールの外周部にあるため，凸部分の曲率半径としては，ゴルフボールの半径に等しくなることは自明である。
　そして，本件発明１の凸部分は，内側球体の表面から延びる格子構造であるため，格子部材の頂部はゴルフボールの最外部，つまり，ゴルフボールの外周部を構成することになるが，その曲率半径は，請求項１に特定されたとおりの０．０７ｃｍ（０．０２７５ｉｎ）〜０．０８８９ｃｍ（０．０３５０ｉｎ）の範囲であって，該数値範囲は，甲第３，４，８及び９号証に記載はなく，甲第３，４，８及び９号証の記載から，当業者が容易に想到し得たとすることはできず，他の甲号各証にもこの点については，記載も示唆もない。
　（３）小括
　以上によれば，［相違点ロ］について容易想到とすることができないから，本件発明１は，甲第１０号証記載の発明と甲第２号証の事項及び周知事項に基づいて当業者が容易に想到し得たものとすることはできず，本件発明１の特許は，特許法第２９条第２項の規定に違反してされたものではない。
　よって，甲第１号証発明または甲第１０号証発明に，甲第２号証の事項及び周知事項を適用しても，本件発明１は導きだせないものである。
　さらに，甲第３号証乃至甲第１７号証，平成２６年６月１９日提出の陳述要領書に添付された甲第１８号証乃至甲第２２号証，平成２６年７月１０日提出の上申書に添付された甲第２３号証乃至甲第２７号証のいずれにも，「格子部材の凸部分の曲率半径を０．０７ｃｍ〜０．０８８９ｃｍとすること」について示されていない。
　したがって，甲第１号証発明または甲第１０号証発明において，本件発明１との相違点に係る構成を導きだすことは，当業者が容易に想到し得たとすることはできない。
　３　本件発明２乃至８について
　本件発明２乃至８は，本件発明１を引用するものであって，上記２のとおり，本件発明１が，当業者にとって容易に発明できるものとはいえないものであるから，同様に本件発明２乃至８も当業者が容易に発明することができたものとはいえない。
第６　無効理由２について
　（１）無効請求人の主張の概要
　本件請求項１には，「ディンプルを伴わない」と記載されているが，格子部材によって相対的にくぼみが生じているから，「格子部材だけがあってくぼみはない」ということはできない。
　本件請求項１発明において，格子部材の第１と第２の凹部分が曲率半径を有し，その格子部材によって相対的に生じたくぼみは湾曲したものであるから，周知の湾曲したディンプルと区別できない。
　とすれば，請求項１発明はディンプルを伴うものであり，上記「ディンプルを伴わない」との記載は矛盾した記載であるから，請求項１発明は不明確であり，同様に請求項２乃至８発明も不明確である。
　（２）判断
　ディンプルは，一般には「ゴルフボールの表面のくぼみ」を意味すること（甲１８），及び，本件訂正明細書の背景技術の項に記載されたディンプルを有するゴルフボールの例に照らすと，本件訂正明細書ないしは本件請求項１における「ディンプル」とは，ゴルフボールの表面側（外側）から窪んでいるものを意味するものと解される。
　そして，本件発明１が，内側球体の表面から延びる，複数の相互に連結した格子部材からなる格子構造を設け，各格子部材が凹部分を有することを発明特定事項としていることにも照らすと，本件請求項１の「ディンプルを伴わない」とは，上記の意味のディンプルを伴わないことを意味するものと理解でき，本件請求項１の記載は明確である。
　また，本件請求項２乃至８についても同様である。
　よって，本件発明１乃至８の記載は明確であるから，無効理由２を理由があるものとすることはできない。
第７　むすび
　請求人の主張する無効理由についての当審の判断は，以上のとおりであるから，請求人の主張及び証拠方法によっては，本件特許を無効とすることができない。
　審判に関する費用については，特許法第１６９条第２項の規定で準用する民事訴訟法第６１条の規定により，請求人が負担すべきものとする。
　よって，結論のとおり決定する。